(57)【特許請求の範囲】
【請求項１】
各折目ａ、ｂ、ｃ、ｄを介して順に背面板１と第１側面板２と正面板３と第２側面板４と貼着板１ａとを連設し、背面板１上部に折目ｅを介して蓋面板５、第１側面板２上部に折目ｆを介して第１中仕切板６、正面板３上部に折目ｇを介して該正面板３内面に折り重ねられる正面フラップ板７、第２側面板４上部に折目ｈを介して第２中仕切板８をそれぞれ連設し、背面板１と第１側面板２と正面板３と第２側面板４の各々下部に折目ｉ、ｊ、ｋ、ｌを介して、それぞれ底面板９、１０、９、１０を連設し、全板が同一のダンボールシートにて形成された中仕切付き外装箱において、第１側面板２上部に折目ｆを介して連設した前記第１中仕切板６は、該折目ｆとそれに平行な折目ｆ１を介して連設され、該折目ｆ１を介してＶの字状に折り曲げられる第１上板６ａと下板６ｂとに二分され、前記第２側面板４上部に折目ｈを介して連設した前記第２中仕切板８は、該折目ｈとそれに平行な折目ｈ１を介して連設され、該折目ｈ１を介してＶの字状に折り曲げられる第２上板８ａと下板８ｂとに二分され、前記第１上下板６ａ、６ｂ領域内には、物品嵌合用の窓孔部１１が、前記第２上下板８ａ、８ｂ領域内には、物品嵌合用の窓孔部１２が、それぞれ孔設され、前記正面フラップ板７を、折目ｇを介して正面板３の内面側に折り重ね、かつ前記正面フラップ板７の対向する両側端には、前記第１上下板６ａ、６ｂと第２上下板８ａ、８ｂのそれぞれ一端部がＶの字状に折り曲げられて嵌合係止する各々Ｖの字状の切込部７ａ、７ａを備えることを特徴とする中仕切付き外装箱。
【請求項２】
前記各々窓孔部１１、１２は多角形状、円形状、楕円形状のうちいずれかであることを特徴とする請求項１記載の中仕切付き外装箱。
【請求項３】
前記各々窓孔部１１、１２は多角形状であり、前記各上板６ａ、８ａには、各々窓孔部１１、１２内を通る各々折目ｆ1 、ｈ1 を底辺とする頂角θ1 の二等辺三角形、前記各上板６ｂ、８ｂには、各々窓孔部１１、１２内を通る各々折目ｆ1 、ｈ1 を一辺とする矩形状と頂角θ2 の二等辺三角形とから構成される請求項１又は請求項２記載の中仕切付き外装箱。
【請求項４】
前記正面フラップ板７の両側端の各々Ｖの字状の前記切込部７ａ、７ａの切込角度はθ2 であり、Ｖの字状に折り曲げられる前記第１上下板６ａ、６ｂと第２上下板８ａ、８ｂのそれぞれ折り曲げ角度は略θ2 であって、４５°〜９０°未満の鋭角、又は９０°〜１００°であることを特徴とする請求項１乃至請求項３のいずれか１項記載中仕切付き外装箱。
【発明の詳細な説明】
【技術分野】
【０００１】
本発明は、各種薬品や化粧品あるいは食料品等を充填包装した１乃至複数個の瓶詰品や缶詰品、箱詰品等を外側から一括包装するための外装箱に関し、特にインターネットやダイレクトメール等のネットワークを介して発注され配送される通信販売商品を、安全に輸送販売するための中仕切付き外装箱に関する。
【背景技術】
【０００２】
近年は、顧客がインターネット等のネットワークを利用して、販売元に商品を発注し、受注した販売元がその商品を顧客に配送する通信販売ネットワークシステムの利用例が活発化しており、それに伴い、配送中における運搬、振動、揺動、衝撃等による外装箱の損傷や破損、歪みや凹み、箱内の商品の損傷や位置ずれ等の無い、丈夫で耐衝撃性と緩衝性のある配送に安全な外装箱が必要とされている。
【０００３】
例えば、商品に対する耐衝撃性や緩衝性を配慮した外装箱としては、例えば、特許文献１、２のように、箱本体内に包装する商品に対して緩衝性を付与するための商品嵌合用の凹陥部を備えた中仕切を、箱本体と同じ材質の厚紙やダンボール紙等の用紙を用いて、箱本体と別体として又は一体化して配置したものがある。
【０００４】
このような緩衝性を付与する中仕切を備えた外装箱は、その箱本体に耐衝撃性が十分に備えていないと、輸送中の衝撃等により外装箱本体が凹んだり歪んだりし易く、特に箱本体のコーナー部分から潰れることが多く見られ、そのために外装箱内の中仕切も、その影響を受けて、その中仕切を構成する用紙も折れ曲がったりずれたりして、中仕切の商品に対する本来の緩衝機能を低下させたり、緩衝機能を全く果たせなくなったりする場合がある。
【０００５】
そのために、耐衝撃性と緩衝性を配慮して外装箱を製作する場合には、商品と直接に接触して、その商品を嵌め込み保護する中仕切本体の耐衝撃性（強度）と、その中仕切及び商品を覆う外装箱本体の耐衝撃性（強度）との両方に配慮する必要がある。
【先行技術文献】
【特許文献】
【０００６】
【特許文献１】実開平６−６２９１号公報
【特許文献２】実開平６−２７５４２号公報
【発明の概要】
【発明が解決しようとする課題】
【０００７】
本発明の課題は、商品を嵌め込み保護する中仕切本体の耐衝撃性（強度）と、その中仕切及び商品を覆う外装箱本体の耐衝撃性（強度）との両方を向上させて、外装箱本体による耐衝撃性により、輸送中の衝撃等による外装箱本体の凹みや歪みの発生を回避して、それに伴う中仕切の用紙の折れ曲がりや、ずれを防止して、商品に対する中仕切の本来の緩衝機能を果たせるようにすることにある。
【課題を解決するための手段】
【０００８】
本発明の請求項１に係る発明は、各折目ａ、ｂ、ｃ、ｄを介して順に背面板１と第１側面板２と正面板３と第２側面板４と貼着板１ａとを連設し、背面板１上部に折目ｅを介して蓋面板５、第１側面板２上部に折目ｆを介して第１中仕切板６、正面板３上部に折目ｇを介して該正面板３内面に折り重ねられる正面フラップ板７、第２側面板４上部に折目ｈを介して第２中仕切板８をそれぞれ連設し、背面板１と第１側面板２と正面板３と第２側面板４の各々下部に折目ｉ、ｊ、ｋ、ｌを介して、それぞれ底面板９、１０、９、１０を連設し、全板が同一のダンボールシートにて形成された中仕切付き外装箱において、第１側面板２上部に折目ｆを介して連設した前記第１中仕切板６は、該折目ｆとそれに平行な折目ｆ１を介して連設され、該折目ｆ１を介してＶの字状に折り曲げられる第１上板６ａと下板６ｂとに二分され、前記第２側面板４上部に折目ｈを介して連設した前記第２中仕切板８は、該折目ｈとそれに平行な折目ｈ１を介して連設され、該折目ｈ１を介してＶの字状に折り曲げられる第２上板８ａと下板８ｂとに二分され、前記第１上下板６ａ、６ｂ領域内には、物品嵌合用の窓孔部１１が、前記第２上下板８ａ、８ｂ領域内には、物品嵌合用の窓孔部１２が、それぞれ孔設され、前記正面フラップ板７を、折目ｇを介して正面板３の内面側に折り重ね、かつ前記正面フラップ板７の対向する両側端には、前記第１上下板６ａ、６ｂと第２上下板８ａ、８ｂのそれぞれ一端部がＶの字状に折り曲げられて嵌合係止する各々Ｖの字状の切込部７ａ、７ａを備えることを特徴とする中仕切付き外装箱である。
【０００９】
本発明の請求項２に係る発明は、前記各々窓孔部１１、１２は多角形状、円形状、楕円形状のうちいずれかであることを特徴とする中仕切付き外装箱である。
【００１０】
本発明の請求項３に係る発明は、前記各々窓孔部１１、１２は多角形状であり、前記各上板６ａ、８ａには、各々窓孔部１１、１２内を通る各々折目ｆ1 、ｈ1 を底辺とする頂角θ1 の二等辺三角形、前記各上板６ｂ、８ｂには、各々窓孔部１１、１２内を通る各々折目ｆ1 、ｈ1 を一辺とする矩形状と頂角θ2 の二等辺三角形とから構成されることを特徴とする中仕切付き外装箱である。
【００１１】
本発明の請求項４に係る発明は、前記正面フラップ板７の両側端の各々Ｖの字状の前記切込部７ａ、７ａの切込角度はθ2 であり、Ｖの字状に折り曲げられる前記第１上下板６ａ、６ｂと、前記第２上下板８ａ、８ｂのそれぞれ折り曲げ角度は略θ2 であって、４５°〜９０°未満の鋭角又は９０°〜１００°であることを特徴とする中仕切付き外装箱である。
【発明の効果】
【００１２】
本発明の中仕切付き外装箱によれば、第１、第２側面板２、４上部に折目を介して連設した第１中仕切板６と第２中仕切板８は、それぞれ折目を介してＶの字状に折り曲げられる第１上板６ａと下板６ｂ、第２上板８ａと下板８ｂとに二分されているので、外装箱を組み立てた際には、それぞれＶの字状に折り曲げた第１中仕切板６と第２中仕切板８が、そのＶの字状に折り曲げた角部を互いに対向させて配置した状態にて中仕切を箱内に形成することができる。
【００１３】
また第１上板６ａと下板６ｂとを連設する折目と交差する領域内には孔設部１１が、第２上板８ａと下板８ｂとを連設する折目と交差する領域内には孔設部１２が、それぞれ設けられているので、Ｖの字状に折り曲げた第１中仕切板６と第２中仕切板８のそれぞれ角部には、孔設部１１、１２による物品を嵌合する三次元的な嵌合部を形成することができる。
【００１４】
また正面板３上部に折目を介して連設した正面フラップ板７の対向する両側端には、Ｖの字状に折り曲げられたそれぞれ第１上下板６ａ、６ｂと第２上下板８ａ、８ｂの一端部を嵌合係止するＶの字状の切込部７ａ、７ａを備えているので、正面フラップ板７を折目を介して正面板３の内面側に折り重ねることにより、正面板３は正面フラップ板７との二枚構造となって、組み立てた際に、正面板３及び箱本体の強度を補強することができるも
のである。
【００１５】
その後、それぞれ第１上下板６ａ、６ｂと第２上下板８ａ、８ｂとをＶの字状に折り曲げた際に、該第１上下板６ａ、６ｂと第２上下板８ａ、８ｂの一端部が、正面フラップ板７両側端の前記切込部７ａ、７ａに嵌合係止するため、第１中仕切板６と第２中仕切板８とを、Ｖの字状に折り曲げた角部を互いに対向させて定位置に配置したＶの字状の折り曲げた状態を保持し固定することができる。
【００１６】
本発明によれば、商品を嵌め込み保護する中仕切本体の耐衝撃性（強度）と、その中仕切及び商品を覆う外装箱本体の耐衝撃性（強度）との両方を向上させて、外装箱本体による耐衝撃性により、輸送中の衝撃等による外装箱本体の凹みや歪みの発生を回避して、それに伴う中仕切の用紙の折れ曲がりや、ずれを防止して、商品に対する中仕切の本来の緩衝機能を果たせるようにすることにある。
【図面の簡単な説明】
【００１７】
【図１】本発明の中仕切付き外装箱の展開ブランクシートの平面図。
【図２】本発明の中仕切付き外装箱の展開ブランクシートから組み立てる方法を説明する側断面図。
【図３】本発明の展開ブランクシートから組み立てられた中仕切付き外装箱の完成斜視図。
【図４】本発明の中仕切付き外装箱の中仕切部の孔設部内に物品を嵌合して包装した状態を示す斜視図。
【発明を実施するための形態】
【００１８】
本発明の中仕切付き外装箱を、発明の実施の形態に沿って以下に詳細に説明すれば、図１の箱組み立て前のブランクシートに示すように、折目ａ、ｂ、ｃ、ｄを介して順に、背面板１と、第１側面板２と、正面板３と、第２側面板４と、貼着板１ａとが連設されている。
【００１９】
図１に示すブランクシートにおいて、前記背面板１上部には、折目ｅを介して蓋面板５、前記第１側面板２上部には、折目ｆを介して第１中仕切板６、前記正面板３上部には、折目ｇを介して該正面板３内面に折り重ねられる正面フラップ板７、前記第２側面板４上部には、折目ｈを介して第２中仕切板８がそれぞれ連設されている。
【００２０】
前記背面板１と第１側面板２と正面板３と第２側面板４の各々下部には、折目ｉ、ｊ、ｋ、ｌを介して、それぞれ底面板９、１０、９、１０が連設されている。
【００２１】
そして、その中仕切付き外装箱の全板（１、２、３、４、５、６、７、８、９、１０）は、同一のダンボールシート（片面ライナーシートと中芯（コルゲートシート）との２層若しくは両面ライナーシートとその間の中芯（コルゲートシート）との３層による接着積層構成（ライナーシート坪量１６０ｇ／ｍ2 〜３４０ｇ／ｍ2 、コルゲートシート振幅（高さ約１．１〜４．８ｍｍ）、例えば、比較的薄いＧダンボールの材質にて形成されている。
【００２２】
図１において、前記第１中仕切板６は、第１上板６ａと下板６ｂとに二分されていて、第１上板６ａは、第１側面板２に折目ｆを介して連設され、第１下板６ｂは、その折目ｆに平行な折目ｆ1 を介して連設されている。
【００２３】
前記第２中仕切板８は、第２上板８ａと下板８ｂとに二分されていて、第２側面板に折目ｈを介して連設され、第２下板８ｂは、その折目ｈに平行な折目ｈ1 を介して連設されている。
【００２４】
前記第２中仕切板６を構成する第１上下板６ａ、６ｂ領域内には、折目ｆ1 に交差するように、物品嵌合用の窓孔部１１が孔設され、前記中仕切板８を構成する第２上下板８ａ、８ｂ領域内には、折目ｈ1 に交差するように、物品嵌合用の窓孔部１２が孔設されている。
【００２５】
前記折目ｇを介して正面板３内面に折り重ねられる前記正面フラップ板７の対向する両側端には、Ｖの字状に折り曲げられる前記第１上下板６ａ、６ｂと第２上下板８ａ、８ｂのそれぞれ一端部を嵌合係止する各々Ｖの字状の切込部７ａ、７ａが設けられている。
【００２６】
第１中仕切板６の第１上下板６ａ、６ｂに、その折目ｆ1 に交差するように孔設した窓孔部１１は、例えば、第１上板６ａ側の二等辺１１ａ、１１ｂ、底辺（交差する方向の折目ｆ1 相当部）、頂角θ1 とする二等辺三角形と、第１下板６ｂ側の交差する方向の折目ｆ1 相当部を上辺とする矩形（正方形又は長方形）と、その矩形の下辺を底辺とし、二等辺１１ｃ、１１ｄ、頂角θ2 とする二等辺三角形とから構成される六角形状である。
【００２７】
第２中仕切板８の第１上下板８ａ、８ｂに、その折目ｈ1 に交差するように孔設した窓孔部１２は、例えば図１に示すように、第２上板８ａ側の二等辺１２ａ、１２ｂ、底辺（交差する方向の折目ｈ1 相当部）、頂角θ1 とする二等辺三角形と、第２下板８ｂ側の交差する方向の折目ｈ1 相当部を上辺とする矩形（正方形又は長方形）と、その矩形の下辺を底辺とし、二等辺１２ｃ、１２ｄ、頂角θ2 とする二等辺三角形とから構成される六角形状である。
【００２８】
なお、第１中仕切板６の前記窓孔部１１と第２中仕切板８の前記窓孔部１２のそれぞれ六角形の形状は、その各辺の長さ、各内角（頂角を含めて）が同一で、一致する形状であってもよいが、箱内に収納する物品の形状に対応して、適宜に変更が可能である。
【００２９】
また、第１中仕切板６の第１上下板６ａ、６ｂに、その折目ｆ1 に交差するように孔設した窓孔部１１、第２中仕切板８の第２上下板８ａ、８ｂに、その折目ｈ1 に交差するように孔設した窓孔部１２のそれぞれ形状は、六角形状に限定されることはなく、例えば頂角（又は内角）をθ1 、θ2 とする菱形状、五角形状、八角形状、又は頂角θ1 、θ2 に相当する部位が１８０°の長方形状や正方形状など、又は頂角（又は内角）θ1 、θ2 に相当する部位が、所定曲率Ｒを有する長円形状、楕円形状、円形状等であってもよい。
【００３０】
次に、図１に示すブランクシートを用いた本発明の中仕切付き外装箱の組み立て方について説明すれば、図１に示す背面板１下部に折目ｉを介して連設した底面板９に、折目ｍを介して連設した折返板９ａを、該折目ｍを介して該底面板９の裏面側に折り重ね、正面板３下部に折目ｋを介して連設した底面板９に、折目ｎを介して連設した折返板９ａを、該折目ｎを介して該底面板９の裏面側に折り重ねる。
【００３１】
次に、図２に示すように、折目ａを介して、背面板１を第１側面板２面上に折り重ね、続いて、折目ｃを介して第２側面板４を正面板３面上に折り重ねることにより、前記背面板１の外端部にある貼着板１ａ上面に前記正面板４の外端面をオーバーラップさせて重ね合わせ、その重ね合わせ部（図２斜線部）を接着材（接着糊）にて貼着するとともに、背面板１下部と正面板３下部のそれぞれ底面板９、９裏面側に、それぞれ折目ｍと折目ｎを介して折り重ねたそれぞれ前記折返板９ａ、９ａと、第１側面板２下部と第２側面板４下
部のそれぞれ底面板１０、１０とを重ね合わせ、その重ね合わせ部（図示せず）を、それぞれ接着材（接着糊）にて貼着する。
【００３２】
これにより、背面板１、第１側面板２、正面板３、第２側面板４から構成される箱側壁部を備えた偏平な平行四辺形状の筒状体が形成され、該筒状体を、偏平な平行四辺形状から直方体（又は立方体）の立体形状に立ち起こすことにより、図３に示すように、背面板１と、第１側面板２と、正面板３と、第２側面板４とから構成される箱側壁部と、折返板９ａ、９ａにて貼着されて接続され、立ち起こした際に平面状に組み立てられる底面板９、９、１０、１０から構成される箱底部と、該背面板１上部に折目ｅを介して連設した蓋面板５（及び差込片５ａ）とから構成される。
【００３３】
その後、図１、図３に示すように、正面板３に折目ｇを介して連設した正面フラップ板７を、該折目ｇを介して該正面板３の裏面側に重なるように箱内に折り込む。
【００３４】
次に、図３に示す立ち起こした箱内に、図１Ｉ示す第１中仕切板６と第２中仕切板８とからなる中仕切を組み立てる方法を以下に説明する。
【００３５】
図１、図３に示すように、まず、折目ｆ、ｈを介して連設したそれぞれ第１中仕切板６と第２中仕切板８とを、該折目ｆ、ｈを介して箱内に折り込むとともに、それぞれ第１中仕切板６の第１上板６ａ、下板６ｂと、第２中仕切板８の第２上板６ａ、下板６ｂとを、それぞれ折目ｆ1 、ｈ1 を介してＶの字状に箱内にて折り曲げる。
【００３６】
図３に記すように、箱内にてＶの字状になった、第１上板６ａと下板６ｂの一側端部（Ｖの字面）と、第２上板８ａと下板８ｂの一側端部（Ｖの字面）とを、正面板３の裏面側にある正面フラップ板７の対向側端に形成したそれぞれＶの字状の切込部７ａ、７ａの端縁に嵌合し、係合して、箱内にてＶの字状になった第１中仕切板６と第２中仕切板８とをそのＶの字状の角部であるそれぞれ折目ｆ1 、ｈ1 を対向させて、第１中仕切板６と第２中仕切板８とからなる中仕切を組み立て配置するものである。
【００３７】
図３に示すＶの字状の第１中仕切板６と第２中仕切板８の孔設部１１、１２には、その折目ｆ1 、ｈ1 が通過するＶの字状となった前記孔設部１１、１２による物品を嵌合固定するための嵌合部が得られ、このようにして、箱内に孔設部１１、１２の形成された第１中仕切板６と第２中仕切板８を備えた本発明の中仕切付き外装箱が組み立てられる。
【００３８】
図４は、本発明の中仕切付き外装箱の中仕切部の孔設部内に物品を嵌合して包装した状態を示す斜視図であり、箱の開口部位から物品Ａは、そのコーナー部や側面部などを、第１中仕切板６と第２中仕切板８の対向する孔設部１１、１２内に嵌合して、箱内の定位置に固定した状態にする。その後、蓋面板５を折目ｅを介して箱開口部に折り曲げ、物品Ａ及び該箱開口部を施蓋して、物品の包装を完了する。物品Ａは、第１中仕切板６と第２中仕切板８の対向する孔設部１１、１２内に嵌合保持されるため、箱内に固定された状態で包装される。
【符号の説明】
【００３９】
１…背面板
１ａ…貼着板
２…第１側面板２
３…正面板
４…第２側面板
５…蓋面板
６…第１中仕切板６
７…正面フラップ板
８…第２中仕切板
９…底面板９、１０
１１、１２…窓孔部
【図１】
0005652031.tif 000002
【図２】
0005652031.tif 000003
【図３】
0005652031.tif 000004
【図４】
0005652031.tif 000005